(57)【要約】【課題】蓋する作業が容易な蓋体制御装置を実現する。【解決手段】開口部を有した本体１と、この開口部１Ｗに着脱可能に蓋着される蓋体３との間に設けられるものであって、前記蓋体３を正規の蓋着位置（Ｓ１）において前記本体１に安定保持させる蓋体保持手段４ａと、正規の蓋着位置（Ｓ１）と異なった偏移位置（Ｓ２）に置かれた蓋体３を該蓋体３に作用する外力を利用して正規の蓋着位置（Ｓ１）に案内する蓋体案内手段４ｂとを具備するようにした。【選択図】図１１
2004345140.tif 000002
【特許請求の範囲】
【請求項１】
開口部を有した本体と、この開口部に着脱可能に蓋着される蓋体との間に設けられるものであって、前記蓋体を正規の蓋着位置において前記本体に安定保持させる蓋体保持手段と、正規の蓋着位置と異なった偏移位置に置かれた蓋体を該蓋体に作用する外力を利用して正規の蓋着位置に案内する蓋体案内手段とを具備してなることを特徴とする蓋着制御装置。
【請求項２】
蓋体保持手段が、本体および蓋体のいずれか一方に設けた凹部と、他方に設けた凸部とを具備してなり、部材の一時的な弾性変形を利用して前記凸部を前記凹部に弾性係合させ得るようにしたものである請求項１記載の蓋着制御装置。
【請求項３】
蓋体案内手段が、本体および蓋体のいずれか一方に設けた凹形弧状面と、他方に設けられ前記凹形弧状面にスライド可能に接する凸形弧状面とを備えたものである請求項１または２記載の蓋着制御装置。
【請求項４】
本体が、対をなす主側壁と、対をなす主端壁とを備え、且つ蓋体が、前記主側壁に係わりあう対をなす蓋側壁と、前記主端壁に係りあう蓋端壁とを備えたものであって、前記蓋体保持手段および前記蓋体案内手段を、前記主側壁と前記蓋側壁との間に設けている請求項１、２または３記載の蓋着制御装置。
【請求項５】
主側壁が、開口端側に主薄肉部を形成するための段部を有したものであり、且つ蓋側壁が、開放端側に前記主側壁の主薄肉部に重合する蓋薄肉部を形成するための段部を有したものであって、前記主薄肉部と前記蓋薄肉部との間に蓋体保持手段を設けている請求項４記載の蓋着制御装置。
【請求項６】
主側壁の段部および蓋側壁の段部のいずれか一方を凹形弧状面とし、他方を凸形弧状面としている請求項５記載の蓋着制御装置。
【発明の詳細な説明】
【０００１】
【発明の属する技術分野】
本発明は、開口部を有する本体とこの開口部を蓋する蓋体との間に設けられ、正規の蓋着位置と異なった偏移位置に置かれた蓋体を、該蓋体に作用する外力を利用して正規の蓋着位置に案内して安定保持するための蓋着制御装置に関するものである。
【０００２】
【従来の技術】
従来、多数の名刺を整理するための整理具は、本体の長手方向を仕切板を用いて適宜複数の収容空間に分割し、その分割した収容空間に名刺を整理収容し得るように構成されている。そして、このような整理具は、収容した名刺に埃が積もらないようにしたり、外部から隠蔽したりすることを目的として、本体の開口部に着脱可能な蓋体を用い、その蓋体周壁の開口端部を、本体周壁の開口端部に重合するように外側に位置付けて、その蓋体周壁の内面に設けた膨出部を、本体周壁の上端縁に支持させることにより、該蓋体で本体の開口部を好適に蓋し得るように構成されている（例えば、特許文献１参照。）。
【０００３】
【特許文献１】
特開平８−１１８８６８号公報（第２〜３頁、第１図、第２図）
【０００４】
【発明が解決しようとする課題】
しかしながら、以上のような構成では、蓋体の各周壁を、対応する本体の各周壁の外側に位置付けなければ、蓋体を本体に取り付けて蓋することができない。すなわち、蓋体の各周壁を対応する本体の各周壁の外側にそれぞれ位置付けるための注意が必要不可欠である。このため、他の作業を行いながらでは、そのような蓋をする作業は極めて困難であるといった問題点を有している。
【０００５】
そこで本発明は、上述のような整理具に限らず、開口部を有する本体とその開口部を着脱可能に蓋する蓋体とを備えるものに適用可能な、前記本体と蓋体との間に介在させてなる蓋着制御装置について、上述した課題を解決することを主たる目的とするものである。
【０００６】
【課題を解決するための手段】
すなわち、本発明に係る蓋着制御装置は、開口部を有した本体と、この開口部に着脱可能に蓋着される蓋体との間に設けられるものであって、前記蓋体を正規の蓋着位置において前記本体に安定保持させる蓋体保持手段と、正規の蓋着位置と異なった偏移位置に置かれた蓋体を該蓋体に作用する外力を利用して正規の蓋着位置に案内する蓋体案内手段とを具備してなることを特徴とする。
【０００７】
このようなものであれば、正規の位置と異なる偏移位置に蓋体を置き、その蓋体に外力を加えれば、蓋体は蓋体案内手段によって正規の蓋着位置に案内され、さらに蓋体保持手段によって安定保持されるので、注意をはらいながら蓋体を正規の蓋着位置に位置付ける必要がなく、蓋する作業が容易となる。
【０００８】
なお、本体と蓋体との取り付けを確固なものとするためには、蓋体保持手段が、本体および蓋体のいずれか一方に設けた凹部と、他方に設けた凸部とを具備してなり、部材の一時的な弾性変形を利用して前記凸部を前記凹部に弾性係合させ得るようにしたものであることが望ましい。
【０００９】
また、本体と蓋体との取り付けをスムーズなものとするためには、蓋体案内手段が、本体および蓋体のいずれか一方に設けた凹形弧状面と、他方に設けられ前記凹形弧状面にスライド可能に接する凸形弧状面とを備えたものであることが好ましい。
【００１０】
本発明の望ましい態様としては、本体が、対をなす主側壁と、対をなす主端壁とを備え、且つ蓋体が、前記主側壁に係わりあう対をなす蓋側壁と、前記主端壁に係りあう蓋端壁とを備えたものであって、前記蓋体保持手段および前記蓋体案内手段を、前記主側壁と前記蓋側壁との間に設けているものが挙げられる。
【００１１】
ところで、主側壁が、開口端側に主薄肉部を形成するための段部を有したものであり、且つ蓋側壁が、開放端側に前記主側壁の主薄肉部に重合する蓋薄肉部を形成するための段部を有したものであって、前記主薄肉部と前記蓋薄肉部との間に蓋体保持手段を設けているものであれば、薄肉部を形成した段部同士を重合させて本体と蓋体とを取り付けられるので、取り付け部分を薄型化して見栄えの良いものとすることができる。
【００１２】
また、本体と蓋体との取り付け作業を容易にするには、主側壁の段部および蓋側壁の段部のいずれか一方を凹形弧状面とし、他方を凸形弧状面としていることが好ましい。
【００１３】
【発明の実施の形態】
以下、本発明の一実施形態について図面を参照して説明する。
【００１４】
本実施形態に係る蓋着制御装置４は、例えば、机の天板などに載置して使用する整理具Ｐなどに適用されるものである。この整理具Ｐは、図１に示すように、略一定形状をなす被収容体（図示せず）を出し入れ可能な開口部１Ｗと前記被収容体を収容可能な収容空間Ｘとを有する箱体状の本体たる収容部１と、この収容部１の底壁１１上面に着脱可能に取り付け可能な仕切板２と、前記開口部１Ｗに装着可能な蓋体たる蓋部３とを備えてなる。そして、該蓋着制御装置４は、前記蓋部３を正規の蓋着位置（Ｓ１）において前記収納部１に安定保持させる蓋体保持手段４ａと、正規の蓋着位置（Ｓ１）と異なった後述する偏移位置に置かれた蓋部３を該蓋部３に作用する外力を利用して正規の蓋着位置（Ｓ１）に案内する蓋体案内手段４ｂとを具備し、前記収納部１と前記蓋部３との間に設けられてなる。
【００１５】
なお、本実施形態では、収容空間Ｘに収容する被収容体を名刺として説明するが、例えば、Ａ４サイズのノートやフロッピー（登録商標）ディスクなど、略一定形状をなすものであれば、これに限られるものではない。
【００１６】
以下、各部を詳述する。
【００１７】
収容部１は、平面視略矩形状をなす底壁１１と、この底壁１１の各周端縁から略直角に起立してなり且つ対向する一対の主端壁１２及び対向する一対の主側壁１３とを具備し、これら各部を合成樹脂により一体に形成してなる。そして、このように形成した前記主端壁１２及び主側壁１３の各上端縁間に、開口部１Ｗが形成されることとなる。
【００１８】
底壁１１は、図３、図４、図５、図６等に示すように、略一定の厚み寸法を有するものである。底壁１１の上面には、窪み部たる溝１１Ｍを設けている。溝１１Ｍは、横断面において上方に向けて漸次拡大する形状を有している。前記溝１１Ｍは、前記主端壁１２と略平行をなす直線的なものである。そして、複数本の溝１１Ｍが、その長手方向と略直交する方向へ所定間隔をあけて形成されている。また、この溝１１Ｍの長手方向における両端外方に、すなわち、溝１１Ｍと主側壁１３の下端縁とで挟まれる領域に、支持領域１１Ａが対をなすように配置されている。前記各溝１１Ｍの長手方向寸法は、前記名刺Ｙの長辺寸法よりも短く設定されている。そのため、収容空間Ｘに収容された名刺Ｙの下辺両端部は、前記支持領域１１Ａ上に載置され支持されるようになっている。
【００１９】
主端壁１２は、図１、図３、図４、図５等に示すように、正面視横長の略矩形状をなすものである。主端壁１２の上部には、開口端側に薄肉部（以下、「主端壁上薄肉部」と称する）１２ａを形成するための段部（以下、「主端壁上向段部」と称する）１２Ｕが設けてある。主端壁１２の下部には、下端側に薄肉部（以下、「主端壁下薄肉部」と称する）１２ｂを形成するための段部（以下、「主端壁下向段部」と称する）１２Ｓが設けてある。また、主端壁１２の上部中央には、上端縁から略半円弧状に切り欠いた切り欠き部１２１が設けてある。
【００２０】
また、本実施形態では、この主端壁１２の下端部中央から前記底壁１１の側端部中央にかけて連続し、且つ、正面視及び平面視した際に、略半円弧状をなすように切り欠いてなる手掛け部１２２を備えるようにした。
【００２１】
主側壁１３は、図１、図３、図４、図５等に示すように、側面視略矩形状をなすものである。主側壁１３の上部には、開口端側に薄肉部（以下、「主側壁上薄肉部」と称する）１３ａを形成するための段部（以下、「主側壁上向段部」と称する）１３Ｕを設けている。また、主側壁１３の下部には、下端側に薄肉部（以下、「主側壁下薄肉部」と称する）１３ｂを形成するための段部（以下、「主側壁下向段部」と称する）１３Ｄを設けている。前記主側壁上向段部１３Ｕは、その段部端面が円弧状に成形されており、この段部端面を上向きの凹形弧状面１３Ｕ１となしている。前記主側壁下向段部１３Ｄは、その段部端面が円弧状に成形されており、この段部端面を下向きの凹形弧状面１３Ｄ１となしている。また、前記主側壁上薄肉部１３ａの外面中央部に、表面から膨出させた側面視略矩形状の凸部１３１を設けている。
【００２２】
なお、本実施形態では、図４に示すように、対をなす主側壁１３間の内法寸法すなわち収容空間Ｘの幅寸法を、収容する名刺Ｙの幅寸法と略同一に構成している。このことにより、収容した名刺Ｙを、主側壁１３によって整列させ得るようにしている。
【００２３】
そして、前記主端壁下向段部１２Ｓおよび前記主端壁下薄肉部１２ｂと、前記主側壁下向段部１３Ｄおよび前記主側壁下薄肉部１３ｂとによって、スタッキング用の下係合部ＳＫを構成している。
【００２４】
仕切板２は、図１、図３、図４、図６等に示すように、略一定の厚み寸法を有するカード状のものであって、正面視略矩形状をなし両側端下端部を前記支持領域１１Ａに支持される仕切板本体２１と、この仕切板本体２１の中央の下端縁から下方へ膨出し前記溝１１Ｍに支持され得る突出片２２と、前記仕切板本体２１の上端縁から上方に一部膨出させた見出し部２３とを具備している。
【００２５】
より具体的に説明すれば、前記突出片２２は、前記溝１１Ｍの深さ寸法よりも低い高さ寸法を有し、また、その溝１１Ｍの縦断寸法よりも短い寸法を長手寸法に有している。しかして、該突出片２２を前記溝１１Ｍに装着させると、図４に示すように、溝１１Ｍに突出片２２が支持されるとともに、仕切板本体２１の下辺が前記支持領域１１Ａに支持されることとなる。
【００２６】
また、本実施形態において、仕切板本体２１の縦寸法及び横寸法を名刺Ｙの縦寸法及び横寸法と略同一に構成することにより、収容部１に起立するように収容した名刺Ｙの高さと仕切板本体２１の高さとが略同一となる一方、前記見出し部２３が、収容した名刺Ｙに隠蔽されずに、名刺Ｙの検索を容易にする見出しとしての機能を発揮するようにしている。
蓋部３は、図１、図７、図８等に示すように、前記収容部１への取り付け側に開口端を有する偏平箱体状のものであって、前記収容部１の主側壁１３に係合可能な対をなす蓋側壁３１と、前記収容部１の主端壁１２に係合可能な蓋端壁３２と、これら蓋側壁３１及び蓋端壁３２の上端縁から若干下側の位置においてそれら蓋側壁３１及び蓋端壁３２に横架させてなる薄板状の蓋上壁３３とを備え、これら各部を合成樹脂により一体に形成してなる。なお、本実施形態では、この蓋部３を半透明をなすように形成している。
【００２７】
より具体的には、前記蓋側壁３１は、その下部に、前記収容部１の主側壁上薄肉部１３ａに重合する薄肉部（以下、「蓋側壁下薄肉部」と称する）３１ａを形成するための段部（以下、「蓋側壁下向段部」と称する）３１Ｕを備えている。そして、前記蓋側壁下薄肉部３１ａの先端縁を、前記主側壁上向段部１３Ｕに合致し得る形状の凸形弧状面３１Ｕ１となしている。また、前記蓋側壁下薄肉部３１ａの内面中央部には、主側壁１３の主側壁上薄肉部１３ａと重合した際に、前記主側壁１３に設けた凸部１３１と係合するための表面から窪ませた凹部３１１を備えている。さらに、蓋側壁３１の上部に、該蓋側壁３１の上端側に薄肉部（以下、「蓋側壁上薄肉部」と称する）３１ｂを形成するための段部（以下、「蓋側壁上向段部」と称する）３１Ｔを設けている。
【００２８】
一方、前記蓋端壁３２は、図１、図７、図８等に示すように、正面視横長の略矩形状をなすものである。蓋端壁３２の下部には、開口端側に薄肉部（以下、「蓋端壁下薄肉部」と称する）３２ａを形成するための段部（以下、「蓋端壁下向段部」と称する）３２Ｕが設けてある。蓋端壁３２の上部には、上端側に薄肉部（以下、「蓋端壁上薄肉部」と称する）３２ｂを形成する段部（以下、「蓋端壁上向段部」と称する）３２Ｔが設けてある。なお、蓋端壁上向段部３２Ｔの段部端面と前記蓋側壁上向段部３１Ｔの段部端面とは、前記蓋上壁３３の上面と面一に形成してある。
【００２９】
そして、前記蓋端壁上向段部３２Ｔおよび前記蓋端壁上薄肉部３２ｂと、前記蓋側壁上向段部３１Ｔおよび前記蓋側壁上薄肉部３１ｂとによって、前記下係合部ＳＫと係合するスタッキング用の上係合部ＵＫを構成している。
【００３０】
また、この蓋部３の蓋側壁３１に設けた凹部３１１と前記収容部１の主側壁１３に設けた凸部１３１とが、収容部１の主側壁上薄肉部１３ａと蓋部３の蓋側壁下薄肉部３１ａとの一時的な弾性変形を利用して弾性係合可能な蓋体保持手段４ａを構成している。また、この蓋側壁３１の凸形弧状面３１Ｕ１と前記主側壁１３の凹形弧状面１３Ｕ１とが、蓋体案内手段４ｂを構成している。
【００３１】
以上のように構成される整理具Ｐに設けた蓋体保持手段４ａと蓋体案内手段４ｂとを具備する蓋着制御装置４の動作について説明する。
【００３２】
まず、図１１に示すように、蓋部３の凸形弧状面３１Ｕ１と収納部１の主側壁上向段部１３Ｕの凹形弧状面１３Ｕ１とが接触する偏移位置（Ｓ２）に、該蓋部３を収納部１に対して位置付ける。そしてこの偏移位置（Ｓ２）に位置付けた蓋部３に外力を加えると、蓋部３の凸形弧状面３１Ｕ１が収納部１の凹形弧状面１３Ｕ１に接しながらスライド移動を始める。すなわち、蓋体案内手段４ｂによって正規の蓋着位置（Ｓ１）に案内される。なお、ここで蓋部３に加える外力としては、凹形弧状面１３Ｕ１の最下点側へ向かう下向き成分を有するもの、または、重力が加わる方向と平行であるものが挙げられる。このとき、蓋部３の蓋側壁下薄肉部３１ａが、収納部１に備えた凸部１３１に押し当てられ、弾性変形をしながらスライド移動することとなる。このようにスライド移動した蓋部３が、その蓋部３に備えた凹部３１１と収納部１に備える凸部１３１とが係合する正規の蓋着位置（Ｓ１）に位置付けられると、蓋体保持手段４ａたる凹部３１１と凸部１３１とが弾性係合するとともに、収容部１の主側壁１３と蓋部３の蓋側壁３１及び収容部１の主端壁１２と蓋部３の蓋端壁３２とがそれぞれ係合し、蓋部３が収納部１に安定保持されることとなる。
【００３３】
このように、蓋部３を偏移位置（Ｓ２）にさえ位置付ければ、あとは、外力を加えるだけでよいので、蓋をする作業が非常に簡単なものとなる。
【００３４】
また、図７、図８に示すように、蓋部３の蓋側壁３１の下端部が、蓋端壁３２の下端部よりも開放方向に突出しているので、蓋部３を収納部１に近づけたときに、蓋側壁３１が収納部１の凹形弧状面１３Ｕ１に接する前に、蓋端壁３２が収納部１に当たってしまうといった不具合が生じる恐れも少なく、該蓋部３を偏移位置（Ｓ２）に位置付け易い。
【００３５】
さらに、図１１に示すように、例えば、仕切板２の先端部が収容部１の開口部１Ｗから外側へ飛び出している場合でも、この仕切板２の先端部を蓋部３の蓋側壁３１間に囲まれる空間に位置付けさえしておけば、偏移位置（Ｓ２）から正規の蓋着位置（Ｓ１）へと蓋部３が移動した際に、蓋部３の蓋端壁３２が、仕切板２の先端部を収納空間Ｘ側へ押し込むので、飛び出た仕切板２をいちいち飛び出ないようにしてから蓋をしなくてもよい。すなわち、蓋する作業が大変容易になる。
【００３６】
ところで、図１２に示すように、蓋部３の上係合部ＵＫと収容部１の下係合部ＳＫとを係り合わせ、蓋部３に収納部１を下方から支持させるといった実施態様も考えられる。このように収納部１を蓋部３に支持させれば、該収納部１を、蓋部３の凸形弧状面３１Ｕ１によって机上面に対してゆりかごのように揺動させて使用することも可能となり、例えば、使用端側に該収納部１を傾ければ、収容部１に名刺を出し入れしやすくなるといった効果も創出する。
【００３７】
このように、正規の位置と異なる偏移位置（Ｓ２）に蓋部３を置き、その蓋部３に外力を加えれば、蓋部３は蓋体案内手段４ｂによって正規の蓋着位置（Ｓ１）に案内されるので、注意をはらわなければ正規の蓋着位置（Ｓ１）に位置付けることができないような不具合もなく、簡単に蓋部３を収納部１に取り付けできるといった非常に高機能な蓋着制御装置を提供することができる。
【００３８】
また、蓋部３を収納部１に取り付ける際に、収納部１及び蓋部３にそれぞれ設けた凹形弧状面１３Ｕ１及び凸形弧状面３１Ｕ１とによって、蓋部３と収納部１との取り付けもスムーズに行える。
【００３９】
さらに、収納部１の主側壁１３が開口端側に主側壁上薄肉部１３ａを形成するための主側壁上向段部１３Ｕを有し、且つ、蓋部３の蓋側壁３１が、開放端側に前記主側壁１３の主側壁上薄肉部１３ａに重合する蓋側壁下薄肉部３１ａを形成するための蓋側壁下向段部３１Ｕを有したものであるので、取り付け部分も薄型化して見栄えが良い。
【００４０】
なお、本発明は、以上に詳述した実施形態に限られるものではない。
【００４１】
例えば、本実施形態では、蓋着制御装置４、名刺を収容可能な本体たる収容部１と、収容部１の開口部１Ｗを蓋するための蓋体たる蓋部３との間に設けているが、本体及び蓋体の構成はこれに限られない。
【００４２】
また、蓋体保持手段４ａとして機能する凸部１３１と凹部３１１とを、それぞれ収納部１と蓋部３とに設けたが、収納部１に凹部を設け蓋部３に凸部を設けてもよい。また、凸部及び凹部の形状や個数も本実施形態に限られるものではない。
【００４３】
また、蓋部３に凹形弧状面を形成し、収納部１に凸形弧状面を形成するようにしても構わない。
【００４４】
さらに、上係合部ＵＫ及び下係合部ＳＫの構成も、本実施形態に限られるものではない。
【００４５】
その他本発明は以上に詳述した図示例に限られず、種々の変形が可能である。
【００４６】
【発明の効果】
以上に詳述したように本発明に係る蓋着制御装置は、開口部を有した本体と、この開口部に着脱可能に蓋着される蓋体との間に設けられるものであって、前記蓋体を正規の蓋着位置において前記本体に安定保持させる蓋体保持手段と、正規の蓋着位置と異なった偏移位置に置かれた蓋体を該蓋体に作用する外力を利用して正規の蓋着位置に案内する蓋体案内手段とを具備してなるので、正規の位置と異なる偏移位置に蓋体を置き、その蓋体に外力を加えれば、蓋体は蓋体案内手段によって正規の蓋着位置に案内され、さらにこの蓋着位置で、蓋体保持手段によって安定保持されるので、注意をはらいながら蓋体を正規の蓋着位置に位置付ける必要が無く、蓋する作業が容易な蓋体制御装置を実現できる。
【図面の簡単な説明】
【図１】本発明の実施形態における蓋着制御装置を備えた整理具の全体斜視図。
【図２】同実施形態における２つの整理具を積み重ねた態様を示す全体斜視図。
【図３】同実施形態における収容部の側断面図。
【図４】同実施形態における収容部の正断面図。
【図５】同実施形態における収容部の平面図。
【図６】同実施形態における仕切板の取付要部を示す端面図。
【図７】同実施形態におけ蓋部の側断面図。
【図８】同実施形態におけ蓋部の正断面図。
【図９】同実施形態における２つの整理具を積み重ねた態様における側断面図。
【図１０】同実施形態における２つの整理具を積み重ねた態様における正断面図。
【図１１】同実施形態における蓋部を偏移位置に置いた態様を示す側面図。
【図１２】同実施形態における蓋部の他の取り付け態様を示す斜視図。
【符号の説明】
１・・・本体（収容部）
１Ｗ・・・開口部
３・・・蓋体（蓋部）
４・・・蓋着制御装置
４ａ・・・蓋体保持手段
４ｂ・・・蓋体案内手段
１２・・・主端壁
１３ａ・・・主薄肉部（主側壁上薄肉部）
１３Ｕ・・・段部（主側壁上向段部）
１３Ｕ１・・・凹形弧状面
１３・・・主側壁
３１・・・蓋側壁
３１ａ・・・蓋薄肉部（蓋側壁下薄肉部）
３１Ｕ・・・段部（蓋側壁下向段部）
３１Ｕ１・・・凸形弧状面
３２・・・蓋端壁
３１１・・・凹部
１３１・・・凸部
Ｓ１・・・蓋着位置
Ｓ２・・・偏移位置
【図１】
2004345140.tif 000003
【図２】
2004345140.tif 000004
【図３】
2004345140.tif 000005
【図４】
2004345140.tif 000006
【図５】
2004345140.tif 000007
【図６】
2004345140.tif 000008
【図７】
2004345140.tif 000009
【図８】
2004345140.tif 000010
【図９】
2004345140.tif 000011
【図１０】
2004345140.tif 000012
【図１１】
2004345140.tif 000013
【図１２】
2004345140.tif 000014